(57)【要約】【課題】  既設の鉄骨構造体におけるブレース主材の耐力を大きくできて現地工事を改善することができる異形断面ブレース材を提供すること。【解決手段】  鉄骨構造体に備えられた仕口部のガセットプレートの間に固定されてブレース構造を形成する異形断面ブレース材であって、ブレース主材の長手方向中央部分に固定され、ブレース主材の外面から突出し、所定長さを有する固定用板材と、ブレース主材の軸方向と直交する断面においてブレース主材よりも大形で、ブレース主材を囲うように固定用板材に固定される補強部材と、を備えている。【選択図】  図１
2018031151.tif 000002
【特許請求の範囲】
【請求項１】
鉄骨構造体に備えられた仕口部のガセットプレートの間に固定されてブレース構造を形成する異形断面ブレース材であって、
ブレース主材の長手方向中央部分に固定され、該ブレース主材の外面から突出し、所定長さを有する固定用板材と、
前記ブレース主材の軸方向と直交する断面において該ブレース主材よりも大形で、該ブレース主材を囲うように前記固定用板材に固定される補強部材と、
を備えている、ことを特徴とする異形断面ブレース材。
【請求項２】
前記固定用板材は、前記ブレース主材に対し、上方向と下方向とに対向位置で突出するように固定され、
前記補強部材は、前記ブレース主材の上方と下方とで前記固定用板材に固定されている、
請求項１に記載の異形断面ブレース材。
【請求項３】
前記固定用板材及び前記補強部材の所定長さを、前記ブレース主材の軸方向長さの１／２以上とした、
請求項１又は２に記載の異形断面ブレース材。
【請求項４】
前記ブレース主材は、円形断面で形成されており、
前記補強部材は、前記ブレース主材の直径よりも大径で前記ブレース主材を囲う半円形の断面で形成されている、
請求項１〜３のいずれか１項に記載の異形断面ブレース材。
【請求項５】
鉄骨構造体に備えられた仕口部のガセットプレートの間に固定されてブレース構造を形成する異形断面ブレース材の構成方法であって、
ブレース主材の長手方向中央部分に、該ブレース主材の外面から突出し、所定長さを有する固定用板材を設け、
前記固定用板材に、前記ブレース主材の軸方向と直交する断面において該ブレース主材よりも大形の補強部材を、該ブレース主材を囲うように固定する、
ことを特徴とする異形断面ブレース材の構成方法。
【請求項６】
前記ブレース主材に対し、上方向と下方向とに突出するように前記固定用板材を固定し、
前記ブレース主材の上方と下方とで前記固定用板材に前記補強部材を固定する、
請求項５に記載の異形断面ブレース材の構成方法。
【発明の詳細な説明】
【技術分野】
【０００１】
本発明は、鉄骨構造体におけるブレース構造に用いる異形断面ブレース材とその構成方法に関する。
【背景技術】
【０００２】
従来、鉄骨構造体においては、強度を確保するために柱材と梁材との間に鉄骨ブレース材が設けられたブレース構造を採用する場合がある。例えば、Ｖ字型（逆Ｖ字型）ブレース構造は、通常、梁材の中間部分の仕口部に設けられたガセットプレートと、柱材と梁材との連結部分に設けられた仕口部のガセットプレートとの間に斜めにブレース主材が設けられる。このブレース主材により、鉄骨構造体の１つの面では、三角形を主体として構成された構造となっている。１つの面のブレース主材は、鉄骨構造体に作用する水平力を一方のブレース主材が引張力、他方のブレース主材が圧縮力を負担するようになっている。ブレース主材の許容耐力は、圧縮側の座屈を考慮した耐力で設計される。一方、仕口部はブレース主材が座屈しても引っ張り材としての材料の能力が潜在していることから引張耐力で設計される。
【０００３】
このようなブレース構造の鉄骨構造体として、例えば、タワー式の機械式駐車設備における駐車塔がある。以下、鉄骨構造体として、駐車塔を例に説明する。図３は、タワー式の機械式駐車設備（以下、単に「駐車設備」という）１００の正面視の全体図であり、図４は駐車設備１００の側面視の全体図である。これらの図面では、屋根材１０４と外装材１０５を取り除いた状態で示している。図示するように、鉄骨構造体である駐車塔１０１の内部に駐車装置１３０が備えられ、上面には屋根材１０４が設けられ、外面は外装材１０５で覆われる。駐車塔１０１は、鉛直方向に延びる柱材１０２と、柱材１０２を水平方向に連結する梁材１０３と、梁材１０３の中間部分に設けられた仕口部１１１から柱材１０２と梁材１０３との連結部分に設けられた仕口部１１１に向けて斜めに設けられたブレース主材１０７と、を有している。駐車塔１０１の場合、４面の全てにブレース主材１０７が設けられている。図５に示すように、ブレース主材１０７は、端部の中心部に差し込んで固定されたブレースプレート１０８が、仕口部１１１のガセットプレート１０６にボルト１１０で固定されている。
【０００４】
なお、駐車塔のブレース材に関する先行技術として、例えば、本出願人が先に出願したブレース材の連結部分に関するものがある（例えば、特許文献１参照）。この出願では、ブレース材を固定するガセットプレートとの連結部分にダンパー構造体を設けている。
【先行技術文献】
【特許文献】
【０００５】
【特許文献１】特開２０１０−３７８７１号公報
【発明の概要】
【発明が解決しようとする課題】
【０００６】
ところで、上記駐車設備では、経年使用した既設の駐車塔１０１を利用し、内部の駐車装置１３０の入替えや、屋根材１０４、外装材１０５をリフォームする改修工事を行う場合がある。しかも、近年、自動車の車種増加に対応するために駐車装置を入替える場合もあり、屋根材や外壁材のリフォームを含めた改修工事は増加傾向にある。このような改修工事は、他の鉄骨構造体においても同様に生じる場合がある。
【０００７】
しかし、このような改修工事を行う場合、駐車装置１３０の重量増加や、屋根材１０４や外装材１０５をカバー工法で改修する場合の重量増加などにより、駐車塔（鉄骨構造体）１０１が負担する重量が増加する。そして、この重量増加によって、ブレース主材１０７の断面二次モーメントに対する荷重が変化して圧縮耐力が不足することがある。
【０００８】
この対策として、例えば、図６（Ａ）に示す第１の改造例のように、ブレース主材１０７を断面積が大きいブレース主材１１２に交換することで圧縮耐力を大きくし、これと同時に大きくなるブレース主材の引張耐力に見合うように、そのブレース主材１１２を取り付けるブレースプレート１０８の仕口部における強度を大きくするために補強溶接１１３を行う方法がある。また、図６（Ｂ）に示す第２の改造例のように、ブレース主材１０７を断面積が大きいブレース主材１２０に交換することで圧縮耐力を大きくし、そのブレース主材１２０の引張耐力に応じたブレースプレート１２１と、そのブレースプレート１２１を固定する大きなガセットプレート１２２を取り付けた新しい梁材１２３に交換する方法が考えられる。
【０００９】
しかし、これらの方法では、ブレース主材１０７を交換する工事やブレースプレート１０８の仕口部における補強溶接１１３の工事、又はブレース主材１２０及びブレースプレート１２１の交換とガセットプレート１２２及び梁材１２３の交換工事を現地で行う必要がある。このため、現地において駐車塔（鉄骨構造体）１０１に対する工事に多くの時間と労力及び費用を要する。このようなことから、既設の機械式駐車設備などの鉄骨構造体における改修工事などにおいて、現地工事の改善ができる方法が切望されている。
【００１０】
なお、上記特許文献１は、ガセットプレートと梁との間の耐震化に関するものであり、改修工事におけるブレース材の耐力を大きくすることについては何ら記載されていない。
【００１１】
そこで、本発明は、既設の鉄骨構造体におけるブレース主材の耐力を大きくできて現地工事を改善することができる異形断面ブレース材とその構成方法を提供することを目的とする。
【課題を解決するための手段】
【００１２】
上記目的を達成するために、本発明に係る異形断面ブレース材は、鉄骨構造体に備えられた仕口部のガセットプレートの間に固定されてブレース構造を形成する異形断面ブレース材であって、ブレース主材の長手方向中央部分に固定され、該ブレース主材の外面から突出し、所定長さを有する固定用板材と、前記ブレース主材の軸方向と直交する断面において該ブレース主材よりも大形で、該ブレース主材を囲うように前記固定用板材に固定される補強部材と、を備えている。この明細書及び特許請求の範囲の書類中における「ブレース主材」は、鉄骨構造体に備えられる円筒材、角筒材などの鋼管や各種形状の形鋼の部材を含む。
【００１３】
この構成により、ガセットプレートの間に固定されるブレース主材を利用し、そのブレース主材の長手方向中央部分に外面から突出するように固定用板材を設け、その固定用板材にブレース主材を囲うようにブレース主材よりも大形の補強部材を固定することで、ブレース主材の圧縮耐力を大きくすることができる。しかも、ブレース主材の長手方向中央部分における圧縮耐力は大きくなるがブレース主材の端部における引張耐力は同じであるため、ガセットプレートに対する現地工事などを必要としない。したがって、改修工事などにおいては、現地工事の時間と労力及び費用を低減して、現地工事を改善することができる。
【００１４】
また、前記固定用板材は、前記ブレース主材に対し、上方向と下方向とに対向位置で突出するように固定され、前記補強部材は、前記ブレース主材の上方と下方とで前記固定用板材に固定されていてもよい。このように構成すれば、鉄骨構造体の外装材を外すことなく、鉄骨構造体の内方からブレース主材に対して固定用板材と補強部材とを固定して異形断面ブレース材を形成することができる。これにより、現地工事の場合には時間と労力及び費用を大幅に低減して、現地工事の改善を図ることができる。
【００１５】
また、前記固定用板材及び前記補強部材の所定長さを、前記ブレース主材の軸方向長さの１／２以上としてもよい。このように構成すれば、既設のブレース主材の長手方向中央部分に必要な長さの固定用板材と補強部材とを設けてブレース主材の圧縮耐力を大きくすることができる。
【００１６】
また、前記ブレース主材は、円形断面で形成されており、前記補強部材は、前記ブレース主材の直径よりも大径で前記ブレース主材を囲う半円形の断面で形成されていてもよい。このように構成すれば、既存のブレース主材の直径に対して大径の補強部材を半割にして用いることで圧縮耐力を大きくしたブレース主材を構成することができる。
【００１７】
一方、本発明に係る異形断面ブレース材の構成方法は、鉄骨構造体に備えられた仕口部のガセットプレートの間に固定されてブレース構造を形成する異形断面ブレース材の構成方法であって、ブレース主材の長手方向中央部分に、該ブレース主材の外面から突出し、所定長さを有する固定用板材を設け、前記固定用板材に、前記ブレース主材の軸方向と直交する断面において該ブレース主材よりも大形の補強部材を、該ブレース主材を囲うように固定する。
【００１８】
この構成により、ガセットプレートの間に固定されるブレース主材を利用し、そのブレース主材の長手方向中央部分に、ブレース主材の外面から突出するように固定用板材を設け、その固定用板材にブレース主材を囲うようにブレース主材よりも大形の補強部材を固定する。これにより、ブレース主材としての圧縮耐力を大きくすることができる。よって、ガセットプレートに対する工事などを要することなく、既存のブレース主材を使用してブレース主材の圧縮耐力を大きくすることができ、現地工事を改善することができる。
【００１９】
また、前記ブレース主材に対し、上方向と下方向とに突出するように前記固定用板材を固定し、前記ブレース主材の上方と下方とで前記固定用板材に前記補強部材を固定するようにしてもよい。このように構成すれば、現地工事の場合には、鉄骨構造体から外装材などを外すことなく、内方からブレース主材に対して固定用板材と補強部材とを固定して異形断面ブレース材を構成することができる。
【発明の効果】
【００２０】
本発明によれば、鉄骨構造体におけるブレース主材の圧縮耐力を大きくすることが可能となる。特に、機械式駐車設備において、駐車装置の入替えや屋根材、外装材の改修にカバー工法を採用する場合、既設のブレース主材の圧縮耐力が不足するようになっても、既設の仕口部を変更することなくブレース主材の圧縮耐力を大きくすることが可能になる。よって、現地工事の時間、労力及び費用を低減して改善することが可能となる。
【図面の簡単な説明】
【００２１】
【図１】図１は、本発明の一実施形態に係る異形断面ブレース材を示す正面図である。
【図２】図２は、図１に示すII−II矢視の拡大断面図である。
【図３】図３は、鉄骨構造体の一例である駐車塔を有する駐車設備の一例を示す正面図である。
【図４】図４は、図３に示す駐車設備の側面図である。
【図５】図５は、図３、図４に示す駐車設備のブレース主材の連結部を示す部分拡大図である。
【図６】図６は、図５に示すブレース主材の従来の改造例を示す図面であり、（Ａ）は第１の改造例を示す部分拡大図であり、（Ｂ）は第２の改造例を示す部分拡大図である。
【発明を実施するための形態】
【００２２】
以下、本発明の実施形態を図面に基づいて説明する。以下の実施形態では、鉄骨構造体として上記図３，４に示す駐車設備１００の駐車塔１０１を例に説明する。図３，４及び部分拡大図である図５と同一の構成には、同一符号を付して説明する。また、円筒材のブレース主材１０７を例に説明する。なお、この明細書及び特許請求の範囲の書類中における上下左右方向の概念は、図１に示す異形断面ブレース材１に向かった状態における上下左右方向の概念と一致するものとする。
【００２３】
（異形断面ブレース材の構成）
図１は、本発明の一実施形態に係る異形断面ブレース材１を示す正面図であり、図２は、図１に示すII−II矢視の拡大断面図である。図１では、駐車塔１０１に固定されていない状態の異形断面ブレース材１を図示している。図２では、隙間などを誇張して図示している。
【００２４】
図示するように、異形断面ブレース材１は、駐車塔１０１に備えられた２つの仕口部１１１のガセットプレート１０６（図３，４）に連結されるブレースプレート１０８と、このブレースプレート１０８を両端部に備えたブレース主材１０７と、を有している。ブレースプレート１０８は、円筒材のブレース主材１０７の端部の中心部に差し込んで固定されている。ブレースプレート１０８は、上述した図５と同じであり、ボルト穴１０９の数、位置などは同じである。上記ブレース主材１０７とブレースプレート１０８とは、駐車塔１０１の柱材１０２と梁材１０３とに備えられたガセットプレート１０６に固定される長さとボルト穴１０９の位置になっている。
【００２５】
そして、ブレース主材１０７の長手方向中央部分に、軸方向に延びる固定用板材１０が固定され、この固定用板材１０に所定長さＬの補強部材１１が固定されている。固定用板材１０は、所定長さＬの補強部材１１を固定できる長さで形成され、ブレース主材１０７の長手方向中央部分に、対向位置で外面から突出するように固定されている。
【００２６】
上記補強部材１１としては、上記ブレース主材１０７の軸方向と直交する断面においてブレース主材１０７よりも大形で、ブレース主材１０７を囲うように上記固定用板材１０に固定できる部材が用いられる。固定用板材１０は、補強部材１１の所定長さＬとほぼ同じ長さとなっている。この実施形態の補強部材１１は、ブレース主材１０７が円形断面の円筒材であるため、ブレース主材１０７の直径よりも大径の円筒材を半割にした半円形断面の部材が用いられている。
【００２７】
これら固定用板材１０及び補強部材１１の所定長さＬとしては、ブレース主材１０７の軸方向長さに対して１／２以上の長さとすることで、座屈が生じるブレース主材１０７の長手方向中央部分を補強できる。この実施形態の補強部材１１は、固定用板材１０に溶接で固定されており、固定用板材１０よりも少し短い長さとなっている。
【００２８】
このように、円筒材のブレース主材１０７の対向する位置で外面から突出するように固定用板材１０が設けられ、これらの固定用板材１０に直径が大径の補強部材１１をブレース主材１０７を囲うように固定することで、圧縮耐力を大きくした異形断面ブレース材１を構成することができる。ブレース主材１０７及び補強部材１１に円筒材を用いることで、異形断面ブレース材１に作用するあらゆる方向の荷重に対して安定した耐力を発揮することができる。
【００２９】
また、上記ブレース主材１０７は、円形断面以外であったとしても、駐車塔１０１に備えられた仕口部１１１のガセットプレート１０６に連結されたブレース主材１０７はそのまま利用し、そのブレース主材１０７に対し、長手方向中央部分に、外面から突出して所定長さの固定用板材１０を固定する。そして、ブレース主材１０７を囲うように、ブレース主材１０７よりも大形の補強部材１１を、固定用板材１０に溶接などで固定することで、圧縮耐力を大きくした異形断面ブレース材１を構成することができる。
【００３０】
このように、ガセットプレート１０６の間に固定されたブレース主材１０７はそのまま利用し、そのブレース主材１０７の長手方向中央部分に固定用板材１０と補強部材１１とを固定して、圧縮耐力を大きくした異形断面ブレース材１を構成する。これにより、現地工事の時間、労力及び費用を低減して、現地工事の改善をすることができる。しかも、駐車塔（鉄骨構造体）１０１のブレース材として異形断面ブレース材１を採用することで、上記図６（Ａ）、（Ｂ）のような改造に比べて、座屈耐力の向上ならびに仕口部１１１の板厚・ボルト本数の低減が可能となる。
【００３１】
また、作業性等の理由により、工場にて、同等の寸法のブレース主材１０７に固定用板材１０と補強部材１１とを取り付けた異形断面ブレース材１を新規製作し、現地に搬入して既設のブレース主材１０７と交換することもできる。このようにしても、ガセットプレート１０６や梁材１０２の交換が不要なので、コストや期間を削減することができる。さらに、現地にて、既設のブレース主材１０７をガセットプレート１０６から一旦取り外し、そのブレース主材１０７に固定用板材１０と補強部材１１とを取り付けて異形断面ブレース材１とすることもできる。この場合でも、ガセットプレート１０６や梁材１０２の交換が不要なので、コストや期間を削減することができる。
【００３２】
（異形断面ブレース材の構成方法）
一方、上記固定用板材１０は、ブレース主材１０７に対して上方向と下方向とに突出するように固定することができる。そして、上記補強部材１１は、上記ブレース主材１０７を囲んでブレース主材１０７の上方と下方とで固定用板材１０に固定することができる。例えば、上述した図３，４に二点鎖線で示すように、ガセットプレート１０６の間に固定されたブレース主材１０７はそのままの状態で、駐車塔１０１の内方からブレース主材１０７の長手方向中央部分の外面から上方向と下方向とに対向して突出するように固定用板材１０を溶接などで固定する。そして、その固定用板材１０に、駐車塔１０１の内方から補強部材１１を固定する。
【００３３】
このようにすれば、駐車塔１０１の外装材１０５を外すことなく、駐車塔１０１の内方からブレース主材１０７の長手方向中央部分に固定用板材１０と補強部材１１とを固定して圧縮耐力の大きい異形断面ブレース材１を構成することができる。
【００３４】
したがって、駐車塔１０１の外装材１０５を外す工事や、既存のブレース主材１０７の撤去やガセットプレート１０６に対する工事などを要することなく、あるいは、ブレース主材１０７の交換を要する箇所を最低限に抑えて、既存のブレース主材１０７を利用して圧縮耐力の大きい異形断面ブレース材１を構成することができる。このことは、駐車塔１０１の外装材１０５を取り外す場合、梁材１０３には外装材１０５を固縛するための胴縁材（間柱材）が取り付けられているため、外装材１０５を落下させない措置も必要になって、現地工事が大掛かりになるが、この現地工事を不要にできる。
【００３５】
なお、上記図３，４では、駐車塔１０１の上部から中間部におけるブレース主材１０７に固定用板材１０と補強部材１１とを設けて異形断面ブレース材１とする例を示しているが、異形断面ブレース材１とする箇所は、重量増などにより検討した結果、既設のブレース主材１０７では耐力が不足することになる箇所に適宜採用すればよい。すなわち、異形断面ブレース材１を採用する箇所は、既設のブレース主材１０７の耐力不足に応じて、下部のみ、上部と下部に分散、全体、など、その鉄骨構造体に応じて適切な箇所に採用すればよく、上記実施形態に限定されるものではない。
【００３６】
また、上記実施形態では主に現地加工の例を説明したが、上記したように異形断面ブレース材１を工場で新規製作する場合には、工場で製作した異形断面ブレース材１を現地に搬送し、現地にて既設のブレース主材１０７と交換すればよい。さらに、現地にて既設のブレース主材１０７を取り外して異形断面ブレース材１とした場合には、その異形断面ブレース材１を元の位置に取り付ければよい。
【００３７】
（総括）
以上のように、上記異形断面ブレース材１によれば、駐車塔（鉄骨構造体）１０１におけるブレース主材１０７及びブレースプレート１０８を変更することなく、仕口部１１１におけるガセットプレート１０６は既設のまま流用して、圧縮耐力を大きくした異形断面ブレース材１を構成することが可能となる。
【００３８】
したがって、上記異形断面ブレース材１を採用することにより、従来のブレース主材１０７及び仕口部１１１におけるブレース構造の構成は現有のまま利用できる。このため、駐車装置１３０の入替えや、屋根材１０４、外装材１０５のカバー工法によるリフォームを行う場合でも、現地での補強溶接作業（図６（Ａ）に示す例）や、新設梁材の交換作業など（図６（Ｂ）に示す案）は不要になり、現地工事の時間と労力及び費用を大幅に低減して現地工事の改善を図ることが可能になる。
【００３９】
なお、上記した実施形態では、ブレース主材１０７として円筒形断面のパイプ材を例に説明したが、ブレース主材１０７としては、Ｈ形鋼や、他の形鋼を用いたものでもよい。この場合も、ブレース主材１０７の長手方向中央部分に固定用板材１０と補強部材１１とを設けることで、ブレース主材１０７の長手方向中央部分における圧縮耐力を大きくでき、ブレース主材１０７は上記実施形態に限定されるものではない。
【００４０】
また、上記した実施形態では、固定用板材１０をブレース主材１０７に対して上方向と下方向とに突出するように（ブレース主材１０７の軸線に関して対称に）固定する例を示したが、対向する水平位置や、ブレース主材１０７の軸線周りに任意角度で傾けて固定することもでき、固定用部材１０の固定形態も上記実施形態に限定されるものではない。
【００４１】
また、上記した実施形態では、鉄骨構造体としてタワー式の機械式駐車設備１００の駐車塔１０１を例に説明したが、ブレース材を有する鉄骨構造体であれば同様に適用でき、異形断面ブレース材１を備えさせる鉄骨構造体は、機械式駐車設備１００の駐車塔１０１に限定されるものではない。
【００４２】
さらに、上記した実施形態は一例を示しており、本発明の要旨を損なわない範囲での種々の変更は可能であり、本発明は上記した実施形態に限定されるものではない。
【符号の説明】
【００４３】
１  異形断面ブレース材
１０  固定用板材
１１  補強部材
１００  機械式駐車設備
１０１  駐車塔（鉄骨構造体）
１０２  柱材
１０３  梁材
１０６  ガセットプレート
１０７  ブレース主材
１０８  ブレースプレート
１１１  仕口部
【図１】
2018031151.tif 000003
【図２】
2018031151.tif 000004
【図３】
2018031151.tif 000005
【図４】
2018031151.tif 000006
【図５】
2018031151.tif 000007
【図６】
2018031151.tif 000008